(57)【要約】【課題】情報の検索性に優れ、使用者にとって必要な情報が集約でき、使い勝手の良い取扱説明書及びその取扱説明書を用いる加熱調理器を提供する。【解決手段】機器の取扱い及び注意に関する説明内容が文字または図形またはその両方で記載された複数ページの取扱説明書で、複数の折り返し線によって展開自在にページ単位で複数枚に折り畳まれていて、折り返し線と直交するように設けられた切り離し線により少なくとも２つ以上に切り離し可能に加工されているものである。【選択図】図１
2013043309.tif 000002
【特許請求の範囲】
【請求項１】
機器の取扱い及び注意に関する説明内容が文字または図形またはその両方で複数ページに記載され、
複数の折り返し線によって展開自在にページ単位で複数枚に折りたたまれていて、前記折り返し線と直交するように設けられた切り離し線により少なくとも２つ以上に切り離し可能に加工されていることを特徴とする取扱説明書。
【請求項２】
前記切り離し線により区切られた上部には機器の複数機能の基本操作に関する説明内容が記載され、下部には機器の複数機能の使用におけるポイントが記載されていることを特徴とする請求項１に記載の取扱説明書。
【請求項３】
前記折り返し線によって折りたたまれた前記ページ毎に、前記切り離し線により区切られた同一ページの上部の機器の基本操作に関する説明内容と下部の機器の使用におけるポイントは同一機能に関する記載がされていることを特徴とする請求項２に記載の取扱説明書。
【請求項４】
前記折り返し線は切り離し可能に加工されていて、前記ページ毎またはカード状片に切り離し可能であることを特徴とする請求項１または請求項３いずれかに記載の取扱説明書。
【請求項５】
前記ページ毎または前記カード状片毎に、同一位置に孔が設けられていることを特徴とする請求項１または請求項４いずれかに記載の取扱説明書。
【請求項６】
機器の取扱い及び注意に関する説明内容を網羅して記載する主たる取扱説明書と組み合わせて用いる、機器の取扱い及び注意に関する説明内容の要部を抜粋し簡略化した取扱説明書であることを特徴とする請求項１〜請求項５いずれかに記載の取扱説明書。
【請求項７】
前記ページ毎または前記カード状片毎に、前記主たる取扱説明書の関連ページ番号または関連ページに関係する記載がされていることを特徴とする請求項６記載の取扱説明書。
【請求項８】
請求項１乃至請求項７の何れかに記載の取扱説明書を用いることを特徴とする加熱調理器。
【発明の詳細な説明】
【技術分野】
【０００１】
本発明は、機器等の取扱説明書、詳しくは要部を抜粋した製本しない取扱説明書及びその取扱説明書を用いる加熱調理器に関する。
【背景技術】
【０００２】
従来、機器等の説明書として、全機能についての説明が記載されている取扱説明書の他に、一部機能について製本しない形態で用意されるものが知られている（例えば、特許文献１参照）。これは、特によく使うと思われる機能に関する説明を全体の説明書から独立させ見易くするためのものである。
また、製本しない形態で用意される取扱説明書で複数折り畳まれ、見出しが設けられているものが知られている（例えば、特許文献２参照）。
また、製本しない形態で用意される取扱説明書で一部分離可能な構成となっているものが知られている（例えば、特許文献３参照）。
【先行技術文献】
【特許文献】
【０００３】
【特許文献１】特開２００２−１１９７８号公報（第２頁、図８）
【特許文献２】実開平４−８７２６５号公報（第４頁、第１図）
【特許文献３】実開昭６０−１８２１８２号公報（第３頁、第１図）
【発明の概要】
【発明が解決しようとする課題】
【０００４】
しかしながら、特許文献１に記載の取扱説明書の構成では、別に用意される一部機能についての取扱説明書にその取扱説明内容の全てが記載されているので、必要な説明や読みたい情報がすぐに見つからず情報の検索性が悪い、という問題があった。
【０００５】
また、特許文献２に記載の取扱説明書の構成では、見出しが設けられているが複数折り畳まれていることで必要な情報を得るために広げなければならず、記載事項の多い取扱説明書では折り畳む数が増えてしまい使い勝手が悪い、という問題があった。
【０００６】
また、特許文献３に記載の取扱説明書の構成では、分離できるのが機器の使用者には関係の無い施工業者のための取付工事説明書であり、機器の使用者の利便性向上には寄与していない。
【０００７】
本発明はかかる課題を解決するために、情報の検索性に優れ、使用者にとって必要な情報が集約でき、使い勝手の良い取扱説明書及びその取扱説明書を用いる加熱調理器を提供することを目的とする。
【課題を解決するための手段】
【０００８】
本発明の第1の発明の取扱説明書は、機器の取扱い及び注意に関する説明内容が文字または図形またはその両方で記載された複数ページの取扱説明書で、複数の折り返し線によって展開自在にページ単位で複数枚に折り畳まれていて、折り返し線と直交するように設けられた切り離し線により少なくとも２つ以上に切り離し可能に加工されているものである。
【０００９】
また、本発明の第２の発明の取扱説明書は、切り離し線により区切られた上部には機器の複数機能の基本操作に関する説明内容が記載され、下部には機器の複数機能の使用におけるポイントが記載されているものである。
【００１０】
また、本発明の第３の発明の取扱説明書は、折り返し線によって折り畳まれたページ毎に、切り離し線により区切られた同一ページの上部の機器の基本操作に関する説明内容と下部の機器の使用におけるポイントは同一機能に関する記載がされているものである。
【００１１】
また、本発明の第４の発明の取扱説明書は、折り返し線は切り離し可能に加工されていて、前記ページ毎またはカード状片毎に切り離し可能である。
【００１２】
また、本発明の第５の発明の取扱説明書は、ページ毎またはカード状片毎に、同一位置に孔が設けられているものである。
【００１３】
また、本発明の第６の発明の取扱説明書は、機器の取扱い及び注意に関する説明内容を網羅して記載する主たる取扱説明書と組み合わせて用いる、機器の取扱い及び注意に関する説明内容の要部を抜粋し簡略化した簡易取扱説明書である。
【００１４】
また、本発明の第７の発明の取扱説明書は、ページ毎またはカード状片毎に、主たる取扱説明書の関連ページ番号が記載されているものである。
【００１５】
また、本発明の加熱調理器は、主たる取扱説明書と簡易取扱説明書を組み合わせて用いるものである。
【発明の効果】
【００１６】
本発明によれば、取扱説明書は複数の折り返し線によって展開自在にページ単位で複数枚に折り畳まれていて、折り返し線と直交するように設けられた切り離し線により少なくとも２つ以上に切り離し可能に加工されているので、使用者が取扱説明書を分割して必要な情報を集約したり、使用頻度の高い順にまとめたりすることができ、使い勝手が良く情報の検索性が向上する。
【図面の簡単な説明】
【００１７】
【図１】（ａ）本発明の実施の形態１における取扱説明書を展開し第１面側から観た状態図、（ｂ）本発明の実施の形態１における取扱説明書を展開し第２面側から観た状態図である。
【図２】（ａ）本発明の実施の形態１における取扱説明書を折りたたみ表面側から観た状態図、（ｂ）本発明の実施の形態１における取扱説明書を折りたたみ裏面側から観た状態図、（ｃ）本発明の実施の形態１における取扱説明書を要部のみ展開した状態図である。
【図３】（ａ）本発明の実施の形態１における取扱説明書の第１面の記載内容例の図、（ｂ）本発明の実施の形態１における取扱説明書の第２面の記載内容例の図である。
【図４】（ａ）本発明の実施の形態１における取扱説明書の切り離し線で切り離して折り畳んだ上部取扱説明書の状態図、（ｂ）本発明の実施の形態１における取扱説明書の切り離し線で切り離して折り畳んだ下部取扱説明書の状態図である。
【図５】（ａ）本発明の実施の形態１における取扱説明書の切り離し線と切り離し可能な折り返し線で切り離した上部取扱説明書の状態図、（ｂ）本発明の実施の形態１における取扱説明書の切り離し線と切り離し可能な折り返し線で切り離した下部取扱説明書の状態図である。
【図６】本発明の実施の形態１における取扱説明書をページ単位で切り離した状態図である。
【図７】（ａ）本発明の実施の形態２における取扱説明書を展開し第１面側から観た状態図、（ｂ）本発明の実施の形態２における取扱説明書を展開し第２面側から観た状態図である。
【図８】（ａ）本発明の実施の形態２における取扱説明書の第１面の記載内容例の図、（ｂ）本発明の実施の形態１における取扱説明書の第２面の記載内容例の図である。
【図９】（ａ）本発明の実施の形態２における主たる取扱説明書の概要を示す模式図、（ｂ）本発明の実施の形態２における主たる取扱説明書の記載の一例を示す図である。
【図１０】本発明の実施の形態１または２の取扱説明書を用いる加熱調理器の全体構成を示す斜視図である。
【図１１】本発明の実施の形態１または２の取扱説明書を用いる加熱調理器の天板を取り外した状態の全体構成を示す斜視図である。
【発明を実施するための形態】
【００１８】
（実施の形態１）
図１（ａ）は本発明の実施の形態１における取扱説明書を展開し第１面側から観た状態図、図１（ｂ）は本発明の実施の形態１における取扱説明書を展開し第２面側から観た状態図、図２（ａ）は本発明の実施の形態１における取扱説明書を折りたたみ表面側から観た状態図、図２（ｂ）は本発明の実施の形態１における取扱説明書を折りたたみ裏面側から観た状態図、図２（ｃ）は本発明の実施の形態１における取扱説明書を要部のみ展開した状態図、図３（ａ）は本発明の実施の形態１における取扱説明書の第１面の記載内容例の図、図３（ｂ）は本発明の実施の形態１における取扱説明書の第２面の記載内容例の図、図４（ａ）は本発明の実施の形態１における取扱説明書の切り離し線で切り離して折り畳んだ上部取扱説明書の状態図、図４（ｂ）は本発明の実施の形態１における取扱説明書の切り離し線で切り離して折り畳んだ下部取扱説明書の状態図、図５（ａ）は本発明の実施の形態１における取扱説明書の切り離し線と切り離し可能な折り返し線で切り離した上部取扱説明書の状態図、図５（ｂ）は本発明の実施の形態１における取扱説明書の切り離し線と切り離し可能な折り返し線で切り離した下部取扱説明書の状態図、図６は本発明の実施の形態１における取扱説明書をページ単位で切り離した状態図である。
【００１９】
なお、それぞれの図において、同じ部分または相当する部分には同じ符号を付し、一部の説明を省略する。また、複数の部材であって、符号に「ａ、ｂ等」を付記するものについて、共通する内容を説明する際には、符号に付した「ａ、ｂ等」を削除して、その一方の
部分について説明する場合がある。
【００２０】
以下、図１から図６により本実施の形態１の取扱説明書の構成について説明する。
なお、記載内容については、加熱調理器に関係する記載内容をその一例として説明することとする。
【００２１】
図１（ａ）、（ｂ）において１００は展開した状態の取扱説明書である。取扱説明書１００は中綴じや糊付等が施されない、つまり製本されない形態であって、図１（ａ）に示す面を取扱説明書１００の第１面（表面）とすると、第１面側にそれぞれページを表す１ページ１、６ページ６、７ページ７、８ページ８があり、ミシン目加工を施された折り返し線９ａ、９ｂ、９ｃで折り畳めるようになっている。
【００２２】
取扱説明書１００の第１面（表面）の裏側に図１（ｂ）に示す第２面（裏面）があり、それぞれ１ページ１の裏側に２ページ２が、８ページ８の裏側に３ページ３が、７ページ７の裏側に４ページ４が、６ページ６の裏側に５ページ５がくるようになっている。
【００２３】
図２（ａ）、（ｂ）は取扱説明書１００を折り畳んだ状態であり、これが保管時の状態である。使用時には図１（ａ）、（ｂ）のように全体を展開したり図２（ｃ）のように必要なページ部分を展開したりして記載情報が閲覧できるようになっている。
【００２４】
取扱説明書１００を完全に展開すると図３（ａ）、（ｂ）のように１枚のシート状になり、その表面と裏面には機器の使い方に関する説明が記載されている。図３（ａ）、（ｂ）では前述のように加熱調理器の取扱説明書としての内容を記載例として説明する。
【００２５】
各ページの上の部分、例えば７ページ７上部７ａには「魚焼きの使いかた」や８ページ８上部８ａには「オーブンの使いかた」のように基本的に使い方の説明を中心とした記載があり、下の部分の７ページ７下部７ｂには「魚焼き使い分けのポイント」や８ページ８下部８ｂには「オーブン使い分けのポイント」のように、上の部分で説明したそれぞれの使い方をした際の使い分けのワンポイントを説明するような記載の配置となっていて、その上部と下部の中央にミシン目加工を施された切り離し線１０が通っている。
【００２６】
加熱調理器を使い続けていくうちに操作に慣れ、使い方を習熟した使用者にとっては上の部分、上部（使いかた）取扱説明書１００ａに記載されている、使い方に関する情報は閲覧の必要性が低くなってくる。
【００２７】
一方、下の部分、下部（使い分けのポイント）取扱説明書１００ｂに記載されている調理による使い分けのポイントに関する情報は、使い方に慣れた使用者においても閲覧が必要とされる場合が多い。
【００２８】
それは、電源を入れて火力を調節するところまでは簡単にできても、例えばハンバーグを焼くときには火力をどのように設定すれば適正値であるのか、メニュー毎の適正な設定火力を全て覚えることは難しいためで閲覧の必要性がさほど低下しないからである。
【００２９】
よって、このような場合、図３（ａ）、（ｂ）の切り離し線１０はミシン目加工を施されていて簡単に切り離せるので、切り離すことにより図４（ａ）、（ｂ）に示すように、前述の基本的に使い方の説明を中心とした記載の上部（使いかた）取扱説明書１００ａと、それぞれの使い方をした際のワンポイントを説明した記載の下部（使い分けのポイント）取扱説明書１００ｂとに分割することができ、必要性の低下した部分と必要とされる部分に分けることができる。
【００３０】
このようにすることで、取扱説明書１００の必要な部分のみを扱い易くコンパクトにでき、さらに不要な情報に目を通すことなく必要な情報に目を通し易くなるので、扱い易さと必要な情報の入手性が向上することになる。
【００３１】
さらに加熱調理器を使い続けていくと、使用者によっては特定の調理（例えば揚げ物調理）は殆どしない場合もあり、それぞれの使い方をした際のワンポイントを説明した記載の下部（使い分けのポイント）取扱説明書１００ｂの中でも、使用者によっては必要性の低い説明部分が存在することになる。
【００３２】
図４（ａ）、（ｂ）に示す折り返し線９ａ、９ｂ、９ｃがミシン目加工を施され切り離し可能になっているので図５（ａ）、（ｂ）のようにそれぞれがカード状片に分割することができるようになっている。よって、前述のように必要性の低い部分がある場合は分割して必要な部分のみ閲覧することができるようになる。
【００３３】
カード状片に分割された２ａ（裏面が１ａ）、３ａ（裏面が８ａ）、４ａ（裏面が７ａ）、５ａ（裏面が６ａ）、２ｂ（裏面が１ｂ）、３ｂ（裏面が８ｂ）、４ｂ（裏面が７ｂ）、５ｂ（裏面が６ｂ）には、それぞれ同一位置に同一寸法の孔１１が設けられている。この孔１１は綴じ孔として使うことができ、この孔１１を図示しない紐等で綴じることでカード状片がばらばらになることなく保管することが可能である。
【００３４】
また、使用者にとって必要な情報が異なる場合であってもカード状片に分割できることで、さまざまな使用者が自分に必要な情報が記載されたカード状片、例えば４ｂ（裏面が７ｂ）と５ｂ（裏面が６ｂ）だけ抽出して綴じておくことが可能となるので、使用者毎に使い易い取扱説明書に加工することができる。
【００３５】
前述のように切り離し線１０で切り離し、さらにミシン目加工を施され切り離し可能な折り返し線９ａ、９ｂ、９ｃで切り離したカード状片に分割可能であることを説明したが、図６に示すように、切り離し線１０で切り離さずに折り返し線９ａ、９ｂ、９ｃで切り離すことにより１ページ単位の取扱説明書に加工することが可能である。
【００３６】
これは使用者によっては、例えば４ページ４の上部４ａに記載されている煮込みの使いかた（図３参照）と下部４ｂに記載されている煮込み料理のポイント（図３参照）が必要な情報であり分割したくはないと考え、それ以外は必要性が低いと考えることもあるので、必要な情報をページ単位で閲覧することができるようにすることで、使用者毎に使い易い取扱説明書に加工することができる。
【００３７】
以上のように本発明の実施の形態１の取扱説明書は、使用者毎の使い方に合わせて必要な情報が記載された部分を分割してまとめることができるようになっているので、使用者毎に使い勝手のよい取扱説明書に加工でき必要な情報の入手性、閲覧性が向上する、という効果を奏することができる。
【００３８】
（実施の形態２）
図７（ａ）は本発明の実施の形態２における取扱説明書を展開し第１面側から観た状態図、図７（ｂ）は本発明の実施の形態２における取扱説明書を展開し第２面側から観た状態図、図８（ａ）は本発明の実施の形態２における取扱説明書の第１面の記載内容例の図、図８（ｂ）は本発明の実施の形態１における取扱説明書の第２面の記載内容例の図、図９（ａ）は本発明の実施の形態２における主たる取扱説明書の概要を示す模式図、図９（ｂ）は本発明の実施の形態２における主たる取扱説明書の記載の一例を示す図である。
【００３９】
なお、それぞれの図において、同じ部分または相当する部分には同じ符号を付し、一部の説明を省略し、実施の形態１と同じ部分または相当する部分にも同じ符号を付し、説明を省略する。また、複数の部材であって、符号に「ａ、ｂ等」を付記するものについて、共通する内容を説明する際には、符号に付した「ａ、ｂ等」を削除して、その一方の部分について説明する場合がある。
【００４０】
以下、図７から図９により本実施の形態２の取扱説明書の構成について説明する。
なお、記載内容については実施の形態１と同様、加熱調理器に関係する記載内容をその一例として説明することとする。
【００４１】
図７（ａ）、（ｂ）において２００は展開した状態の取扱説明書であり、必要最低限の情報を抜粋してまとめた簡略化された取扱説明書である。取扱説明書２００は中綴じや糊付等が施されない、つまり製本されない形態となっている。
【００４２】
図９（ａ）において３００は加熱調理器の取扱い及び注意に関する説明内容を詳しく記載した主たる取扱説明書であり、簡略化された取扱説明書２００と組み合わせて使用されるようになっている。
【００４３】
主たる取扱説明書３００は図９（ａ）のように製本されてページ数も多く、図９（ｂ）に示す記載一例のように、使いかたや調理のポイントに関する情報が詳細に記載されていて、初めて使う使用者には必要なものとなっている。
【００４４】
しかし、有る程度使い慣れてくると前述のように製本されてページ数も多いので、主たる取扱説明書３００を必要とする頻度が低下し、簡略化された取扱説明書２００の使用頻度が高くなってくる。
【００４５】
取扱説明書２００は図７（ａ）に示す面を第１面（表面）とすると、第１面側にそれぞれページを表す１ページ３１、６ページ３６、７ページ３７、８ページ３８があり、ミシン目加工を施された折り返し線９ａ、９ｂ、９ｃで折り畳めるようになっている。
【００４６】
取扱説明書２００の第１面（表面）の裏側に図７（ｂ）に示す第２面（裏面）があり、それぞれ１ページ３１の裏側に２ページ３２が、８ページ３８の裏側に３ページ３３が、７ページ３７の裏側に４ページ３４が、６ページ３６の裏側に５ページ３５がくるようになっている。
【００４７】
取扱説明書２００を完全に展開すると図８（ａ）、（ｂ）のように１枚のシート状になり、その表面と裏面には機器の使い方に関する説明が記載されている。図８（ａ）、（ｂ）では前述のように加熱調理器の取扱説明書としての内容を記載例として説明する。
【００４８】
各ページの上の部分、例えば７ページ３７上部３７ａには「魚焼きの使いかた」や８ページ８上部８ａには「オーブンの使いかた」のように簡略化された使い方の説明を中心とした記載があり、下の部分の７ページ７下部７ｂには「魚焼き使い分けのポイント」や８ページ８下部８ｂには「オーブン使い分けのポイント」のように、上の部分で説明したそれぞれの使い方をした際の使い分けのワンポイントを簡略化して説明するような記載の配置となっていて、その上部と下部の中央にミシン目加工を施された切り離し線１０が通っている。
【００４９】
また、７ページ３７上部３７ａには「魚焼きの使いかた」の詳しい情報が記載されている主たる取扱説明書のページ数が記載されている。同様に３１ａとその裏面３２ａ、３１ｂとその裏面３２ａ、３８ａとその裏面３３ａ、３８ｂとその裏面３３ｂ、３７ａの裏面３４ａ、３７ｂとその裏面３４ｂ、３６ａとその裏面３５ａ、３６ｂとその裏面３５ｂにもそれぞれの簡略化された使いかたの説明やポイントの詳しい情報が記載されている主たる取扱説明書の該当ページ数が記載されている。
【００５０】
簡略化された取扱説明書２００では情報が不足している場合や、より高度な使いかたをする使用者、覚えている使いかたで調理すると思い通りにできあがらない使用者には主たる取扱説明書３００が必要となるが、その詳しい情報が記載されている主たる取扱説明書３００の記載ページにすぐ辿り着くことができ、情報の検索性が向上する。
【００５１】
なお、詳しい説明は実施の形態１と同様であるので省略するが、本発明の実施の形態の取扱説明書２００は、実施の形態１の取扱説明書１００と同様、ミシン目加工を施された切り離し線１０とミシン目加工を施され切り離し可能な折り返し線９ａ、９ｂ、９ｃで、ページ単位、カード状片に分割可能で、使用者毎に必要と思われる情報をまとめておくことができ、使用者毎に使い易い取扱説明書に加工することができる。
【００５２】
以上のように本発明の実施の形態２の取扱説明書は、本発明の実施の形態１の取扱説明書同様に使用者毎の使い方に合わせて必要な情報が記載された部分を分割してまとめることができるようになっているので、使用者毎に使い勝手のよい取扱説明書に加工でき必要な情報の入手性、閲覧性が向上する、という効果を奏することができる。
【００５３】
さらに本発明の実施の形態２の取扱説明書は主たる取扱説明書と組み合わせて使用され、簡略化された情報が記載された取扱説明書の情報記載箇所に、詳しい情報が記載された主たる取扱説明書の該当ページ数が記載されているので、詳しい情報の検索性が向上し入手性が向上するという効果を奏することができる。
【００５４】
（本発明の実施の形態１または２の取扱説明書を用いる加熱調理器の説明）
図１０は本発明の実施の形態１または２の取扱説明書を用いる加熱調理器の全体構成を示す斜視図、図１１は本発明の実施の形態１または２の取扱説明書を用いる加熱調理器の天板を取り外した状態の全体構成を示す斜視図である。
以下、図１０、図１１により本発明の実施の形態１または２の取扱説明書を用いる加熱調理器の構成を説明をする。
【００５５】
図１０に示すように、本発明の実施の形態１または２の取扱説明書を用いる加熱調理器は、本体４０１の天面に被調理物を収容した調理容器４０５を載置可能な非磁性体、例えば結晶化ガラスからなるトッププレート４０３を備え、外周にはシリコン系接着剤等で固着された金属、例えばステンレスで構成された枠体４０４を備えてなる天板４０２を備えている。それから、天板４０２に各種の操作入力を行う天面操作部４０７を備え、本体４０１の前面に各種の操作入力を行う前面操作部４０８と、誘導加熱調理器の電源を入切する電源スイッチ４０６を備えている。
【００５６】
４１２は輻射式加熱手段（図示せず）により、魚等の被調理物をその内部に載置してグリル調理やオーブン調理をする調理庫で、前面が開口していて調理庫扉４１３が前方に引き出し自在に設けられている。調理庫扉４１３の引き出しに連動して、被調理物を載置する載置皿（図示せず）と焼き網（図示せず）が引き出されるようになっており、調理庫扉４１３を最も押し込んだ状態で調理庫４１２の前面開口が閉塞され調理が行える。調理の操作入力は、天面操作部４０７または前面操作部４０８から行えるようになっている。
【００５７】
図１１に示すように、トッププレート４０３の下方には、複数の加熱手段が配設されている。４０９は誘導加熱コイルからなる誘導加熱手段で、誘導加熱手段の外側に近い外周コイルと、内側中心に近い内周コイルの複数コイルによって構成されている。４１０、４１１も同様に誘導加熱手段である。
【００５８】
ここで、誘導加熱手段とは、電磁誘導の原理を利用した加熱手段のことを言い、誘導加熱コイルに高周波交流電流を印加すると回転した磁力線が発生し誘導加熱コイル内部には一様な磁界が発生する。磁界が誘導加熱コイルを貫通すると誘導加熱コイル内部では磁束変化を妨げる磁界が発生し、被加熱物に渦電流が流れ高周波交流電流、例えば２０〜９０ｋＨｚの交流電流を印加することで流れ続ける。それで被加熱物の電気抵抗と渦電流によってジュール熱が発生することにより被加熱物が発熱する加熱方式のことである。
【００５９】
なお、前述の説明では３口の誘導加熱手段を備えた例をあげたが、加熱手段を３口供えた誘導加熱調理器では、１口が誘導加熱手段ではない加熱手段、例えばラジエントヒーターのような電熱線からなる輻射式加熱手段で構成してもよく適宜選択可能である。また、加熱手段が２口でもよく、その場合の加熱手段の組合せも誘導加熱手段、輻射式加熱手段から適宜選択可能である。
【００６０】
誘導加熱手段４０９の外周コイルと内周コイルの間には、例えばサーミスタ等の接触式温度センサー、非接触式の赤外線センサー等からなる温度検出手段（図示せず）が配設されている。温度検出手段（図示せず）はトッププレート４０３を介して調理容器４０５の温度を検出するようになっている。
【００６１】
誘導加熱手段４０９の下方には、印刷配線基板と電子部品から構成される制御手段（図示せず）と、印刷配線基板に半導体スイッチング素子と整流回路とその他電子部品から構成されるインバーター回路を内包した駆動手段（図示せず）が配設されている。
【００６２】
駆動手段（図示せず）により駆動される誘導加熱手段４０９、４１０、４１１は湯沸し、焼き物、煮物、煮込み、揚げ物等、多様な調理に対応が可能である。それぞれの調理により使用する調理容器４０５も異なり、図１０では煮物や煮込み調理に適した蓋付きの鍋を示したが、焼き物調理ではフライパン、揚げ物ではてんぷら鍋というように調理に適した調理容器が使用される。
【００６３】
これらの調理では調理容器だけでなく調理の火の強さや調理時間の選択等、操作の仕方もそれぞれ異なり天面操作部４０７や前面操作部４０８によりそれぞれの調理に適した火力や時間等を操作して調理を行うようになっている。
【００６４】
前述のような加熱調理器において、本発明の実施の形態１の取扱説明書を用いることで、使用者毎の使い方に合わせて必要な情報が記載された部分を分割してまとめることができる取扱説明書により、使用者毎操作に必要な情報の入手性、閲覧性が向上することから、加熱調理器の操作性が向上するという効果を奏することができる。
【００６５】
また、以上のような加熱調理器において、本発明の実施の形態２の取扱説明書を用いることで、使用者毎の使い方に合わせて必要な情報が記載された部分を分割してまとめることができる取扱説明書により、使用者毎操作に必要な情報の入手性、閲覧性が向上することから、加熱調理器の操作性が向上し、さらに本発明の実施の形態２の取扱説明書は主たる取扱説明書と組み合わせて使用され、簡略化された情報が記載された取扱説明書の情報記載箇所に、詳しい情報が記載された主たる取扱説明書の該当ページ数が記載されているので、詳しい情報の検索性が向上し入手性が向上することから、加熱調理器の詳しい使用方法での操作性が向上するという効果を奏することができる。
【００６６】
なお、ここでは誘導加熱手段を有する加熱調理器で説明したが、誘導加熱手段を有する加熱調理器に限定されるものではなく、電子レンジやオーブンレンジのような高周波加熱手段を有する加熱調理器や、オーブントースターのような石英管ヒーター等の輻射式加熱手段を有する加熱調理器等に本発明の実施の形態１または２の取扱説明書を用いることが可能であり広く応用することができる。
【符号の説明】
【００６７】
１  １ページ、１ａ  １ページ上部、１ｂ  １ページ下部、２  ２ページ、２ａ  ２ページ上部、２ｂ  ２ページ下部、３  ３ページ、３ａ  ３ページ上部、３ｂ  ３ページ下部、４  ４ページ、４ａ  ４ページ上部、４ｂ  ４ページ下部、５  ５ページ、５ａ  ５ページ上部、５ｂ  ５ページ下部、６  ６ページ、６ａ  ６ページ上部、６ｂ  ６ページ下部、７  ７ページ、７ａ  ７ページ上部、７ｂ  ７ページ下部、８  ８ページ、８ａ  ８ページ上部、８ｂ  ８ページ下部、９ａ  折り返し線、９ｂ  折り返し線、９ｃ  折り返し線、１０  切り離し線、１１  孔、３１  １ページ、３１ａ  １ページ上部、３１ｂ  １ページ下部、３２  ２ページ、３２ａ  ２ページ上部、３２ｂ  ２ページ下部、３３  ３ページ、３３ａ  ３ページ上部、３３ｂ  ３ページ下部、３４  ４ページ、３４ａ  ４ページ上部、３４ｂ  ４ページ下部、３５  ５ページ、３５ａ  ５ページ上部、３５ｂ  ５ページ下部、３６  ６ページ、３６ａ  ６ページ上部、３６ｂ  ６ページ下部、３７  ７ページ、３７ａ  ７ページ上部、３７ｂ  ７ページ下部、３８  ８ページ、３８ａ  ８ページ上部、３８ｂ  ８ページ下部、  １００  取扱説明書、１００ａ  上部（使いかた）取扱説明書、１００ｂ  下部（使い分けのポイント）取扱説明書、２００  取扱説明書（簡易取扱説明書）、３００  主たる取扱説明書、３００ａ  加熱調理器の使いかたの記載一例、３００ｂ  加熱調理器の調理のポイントの記載一例、４００  加熱調理器、４０１  本体、４０２  天板、４０３  トッププレート、４０４  枠体、４０５  調理容器、４０６  電源スイッチ、４０７  天面操作部、４０８  前面操作部、４０９  誘導加熱手段、４１０  誘導加熱手段、４１１  誘導加熱手段、４１２  調理庫、４１３  調理庫扉。
【図１】
2013043309.tif 000003
【図２】
2013043309.tif 000004
【図３】
2013043309.tif 000005
【図４】
2013043309.tif 000006
【図５】
2013043309.tif 000007
【図６】
2013043309.tif 000008
【図７】
2013043309.tif 000009
【図８】
2013043309.tif 000010
【図９】
2013043309.tif 000011
【図１０】
2013043309.tif 000012
【図１１】
2013043309.tif 000013